(57)【要約】【課題】インターネット等の通信ネットワークを通じてコンテンツの配信などのサービス提供に対する課金をする際に、複雑な料金設定を可能とするとともに、料金設定の変更に迅速に対応することを可能とする。【解決手段】  IP網２を通じて提供される複数のサービスに対する課金を行うために、複数あるサービスの全ての組合せ毎に、仮想的なチケットをユーザーに対して発行し、ユーザーに対して発行されたチケットを当該ユーザー毎のレコードとしてチケットフォルダー部１２に蓄積し管理する。【選択図】  図１
2006040051.tif 000002
【特許請求の範囲】
【請求項１】
通信回線を相互に接続して構築される通信ネットワークを通じて提供されるサービスに対する課金を行うシステムであって、
前記サービスを利用するための仮想的なチケットをユーザーに対して発行するチケット発行部と、
発行された前記チケットと、当該チケットによって利用可能なサービス及び当該サービスの目的の属性とを関連付ける商品マスターテーブルと、
前記ユーザーに対して発行された前記チケットを、当該ユーザー毎のレコードとして蓄積し管理する販売管理データベースと、
販売された前記チケット、及び当該チケットに関連付けられた商品マスターテーブルの情報とを、前記通信ネットワークを通じて、各ユーザーに対して表示するチケットフォルダー部と
を備えることを特徴とする課金システム。
【請求項２】
前記サービスが期間の定めがある場合、前記サービスの目的の属性は、当該期間に応じて分類されていることを特徴とする請求項１に記載の課金システム。
【請求項３】
前記サービスが無料である場合に、前記サービスの目的の属性は、課金０として分類されていることを特徴とする請求項１に記載の課金システム。
【請求項４】
前記レコードには、サービスが提供された履歴である履歴データが含まれ、
前記販売管理データベースと前記履歴データとを照合し、使用されたチケットを抽出し、使用されたチケットに関連付けられた前記サービスの目的の属性に応じて決済を行う決済部と
を備えることを請求項１に記載の課金システム。
【請求項５】
前記サービスの提供を行うサービス提供サーバと、
前記ユーザーのアクセスを認証する認証部と
を備え、
前記認証部は、認証したユーザーが保有するチケットに応じて前記サービス提供サーバへの接続を行うことを請求項１に記載の課金システム。
【請求項６】
通信回線を相互に接続して構築される通信ネットワークを通じて提供される複数のサービスに対する課金を行う方法であって、
前記サービスを利用するための仮想的なチケットをユーザーに対して発行するとともに、発行された前記チケットと、当該チケットによって利用可能なサービス及び当該サービスの目的の属性とを商品マスターテーブルにより関連付けるステップと、
前記ユーザーに対して発行された前記チケットを、当該ユーザー毎のレコードとしてチケット管理データベースに蓄積し管理するステップと、
販売された前記チケット、及び当該チケットに関連付けられた商品マスターテーブルの情報とを、前記通信ネットワークを通じて、各ユーザーに対して表示するステップと
を備えることを特徴とする課金方法。
【発明の詳細な説明】
【技術分野】
【０００１】
本発明は、インターネット等の通信ネットワークを通じてコンテンツの配信などのサービス提供に対する課金を行う課金システム及び課金方法に関する。
【背景技術】
【０００２】
近年は、インターネット等の通信ネットワークが発達し、通信ネットワークを通じて、ユーザーが使用するパーソナルコンピュータや携帯電話等の情報端末に対し、映像や音声（着信メロディー等の音源プログラムを含む。）、ゲーム等のコンテンツを配信するサービスの提供が行われている（例えば、特許文献１参照）。
【０００３】
このような通信ネットワークを通じたサービス提供では、例えば、図６に示すように、顧客データベース７にユーザー１が申し込んだサービスを登録しておき、ユーザー１に対するコンテンツの配信を販売管理システム８により管理する。
【０００４】
そして、ユーザー１がIP網２を通じてアクセスした際に、認証システム３により認証を行い、コンテンツ配信システム４を通じてコンテンツデータベース５に蓄積されているコンテンツをユーザー１に対して配信する。このコンテンツの配信に際し、コンテンツ配信システム４は、販売管理システム８に対して問い合わせを行い、ユーザー１が当該サービスの提供を受ける権利を有しているか（申込みを行っているか）を確認し、権利を有している場合にコンテンツの配信を行い、権利を有していない場合には、配信を拒否する。
【０００５】
コンテンツが配信された後、コンテンツ配信システム４は、配信履歴データベース６に、配信したコンテンツの履歴を蓄積する。そして、ユーザー１に対する課金を行う際には、課金アプリケーション１０によって顧客データベース７と配信履歴データベース６を参照し、ユーザー１が受けたサービスに応じた課金を行い、この課金に基づいた決済を決済システム１１により行う。
【０００６】
さらに、サービス提供についてのサーポート（例えば、トラブルシューティングや料金問い合わせ）の際には、サポートセンター９により顧客データベース７の登録内容を参照しつつ、ユーザーが利用可能なサービスや料金説明等を行っている。
【０００７】
ところで、近年にあっては、コンテンツが大量に製作され配信されていることから、コンテンツの種類や配信形態に応じた料金設定をする必要性が高まっている。例えば、コンテンツのうち、新作と旧作とで料金設定を変えたり、新規加入者に対して無料キャンペーンを実施したりなど、ユーザー個々のニーズに応じた料金設定が求められている。特に、コンテンツのタイトル数がユーザー獲得に関し重要であるが、新作のコンテンツを追加しても料金設定を変更できない場合には、新作コンテンツの製作費用が回収できず、新作コンテンツ製作のインセンティブにも悪影響を及ぼす惧れがある。
【特許文献１】特開２００３−５８６６０号公報
【発明の開示】
【発明が解決しようとする課題】
【０００８】
しかしながら、従来の課金システムでは、従量制が定額制かの二種類の課金設定が通常であり、新作や旧作の管理は、料金設定や管理が複雑となるため、実施されていないのが現状である。また、無料キャンペーン等のサービスも、料金設定が複雑にならない範囲で、一律無料とされているのが一般的である。
【０００９】
従来、ユーザーに対する課金は、課金アプリケーションを作製し、ユーザーが申込みんだサービスの種類（従量制か定額制か等）に応じて、配信履歴を参照し料金を算出し、料金設定が変動する毎に上記課金アプリケーションを改訂し、新料金設定に対応している。このため、料金設定が複雑となり且つ変動が大きくなると上記課金アプリケーションの改訂が複雑且つ頻繁となり、サービス変更への迅速な対応が困難となる。
【００１０】
特に、新作は時間とともに旧作扱いとなり、順次対象となるコンテンツが変動するため、それに対応するのが困難であり、また、無料キャンペーン等は営業戦略に応じて突発的に実施される場合も多く、上記課金アプリケーションの改訂が対応しきれないことが多い。
【００１１】
そこで、本発明は以上の点に鑑みてなされたもので、インターネット等の通信ネットワークを通じてコンテンツの配信などのサービス提供に対する課金をする際に、複雑な料金設定を可能とするとともに、料金設定の変更に迅速に対応することができるシステムを提供することをその課題とする。
【課題を解決するための手段】
【００１２】
上記課題を解決するために、本発明は、通信回線を相互に接続して構築される通信ネットワークを通じて提供される複数のサービスに対する課金を行うために、サービスを利用するための仮想的なチケットをユーザーに対して発行するとともに、発行されたチケットと、当該チケットによって利用可能なサービス及び当該サービスの目的の属性とを関連付け、ユーザーに対して発行されたチケットを当該ユーザー毎のレコードとしてチケット管理データベースに蓄積して管理し、販売されたチケット、及び当該チケットに関連付けられた商品マスターテーブルの情報とを、通信ネットワークを通じて、各ユーザーに対して表示する。
【００１３】
なお、この発明において、サービスの目的の属性には、サービスの期間や、サービス料金（無料サービスについては課金０円）等が含まれ、チケットは、これらの属性により分類されてることが好ましい。
【００１４】
そして、上記発明において、レコードには、サービスが提供された履歴である履歴データを含めておき、チケット管理データベースと履歴データとを照合し、使用されたチケットを抽出し、使用されたチケットに応じて決済を行う。
【００１５】
このような本発明によれば、ユーザーが利用可能なコンテンツや、その利用可能時期等の全ての組合せをチケットとして仮想的に販売することから、チケットの使用・未使用又は使用回数を管理することにより、ユーザーに対する課金を容易に行うことができる。
【００１６】
上記発明において、サービスが無料である場合に、チケット発行部は、課金０としてチケットを発行することが好ましい。この場合には、本来課金が生じない無料サービスであっても、価格が０円の仮想的なチケットとして販売するため、料金は発生しないが、サービスの提供は受けられるという例外的な課金を、他の有料サービスと同様の処理により管理することが可能となる。
【００１７】
また、前記サービスは、サービス提供サーバにより提供するようにし、前記ユーザーのアクセスを認証する認証部により、認証したユーザーが保有するチケットに応じて前記サービス提供サーバへの接続を行うようにしてもよい。
【００１８】
この場合には、ユーザーの認証や課金処理を行うシステムと、サービスを提供するシステムとを切離し、独立して運用することが可能となり、各サービスを提供するシステム毎に必要となる認証や課金等の重複した処理を省略し、設備費やシステム運用費を低減することができるとともに、多種多様なサービスを一元的にユーザーに提供することができる。
【００１９】
なお、この発明において、上記サービスの目的の属性としてレコードに、例えば、コンテンツ受信用の受信装置や視聴用アプリケーションなどのハードウェアやソフトウェアを、サービス提供のために配布しているような場合には、チケットのレコードとして、かかるハードウェアの機種やソフトウェアのバージョン等に関するデータを保持させることによって、機種やバージョン毎に異なるサポートを行うことが可能となり、より充実したユーザーサポートを提供することができる。
【発明の効果】
【００２０】
以上説明したように本発明の課金システム及び課金方法によれば、インターネット等の通信ネットワークを通じてコンテンツの配信などのサービス提供に対する課金をする際に、ユーザーが利用可能なサービス又はコンテンツの目的の属性に応じて仮想的なチケットを発行し、このチケットの使用状況に応じて課金を行うことから、商品やキャンペーンの  料金設定に変更があった場合には、課金アプリケーションを作製・変更を行うことなく、新たにチケットを発行するのみで対応でき、複雑な料金設定を可能とするとともに、料金設定の変更に迅速に対応することができる。
【発明を実施するための最良の形態】
【００２１】
（情報配信システムの構成）
本発明の実施形態について、図面を参照しつつ説明する。本実施形態では、本発明に係る課金システムを、コンテンツ配信サービスを行う情報配信システムに適用した場合を例に説明する。図１は、本実施形態に係る課金システムの概要を示す説明図である。また、図２は、本実施形態に係る課金システムが適用される情報配信システムの概略構成を示す説明図である。
【００２２】
図１に示すように、本実施形態では、コンテンツ配信サービスを利用するための仮想的なチケットを、IP網２を通じて、ユーザーに対して販売（発行）し、販売されたチケットをチケットフォルダー部１２においてWeb上で閲覧可能とするとともに、チケットに応じた認証を行うことにより各サービスの提供を実施する。このチケットは、本システムにおいて領収書、権利書、入場券、予約券又は整理券の役割を果たすものであり、Web上における画像として閲覧が可能であるとともに、ブラウザソフトウェア等の印刷機能により紙媒体等に印刷して実体化も可能である。
【００２３】
ユーザーは、このチケットについて、例えばカード決済により購入したり、Web上で利用可能な電子マネーをカード決済等により一旦購入し、この電子マネーを利用して購入することができる。購入したチケットは、ユーザー本人が自分で利用する他、第三者にプレゼントとして提供することも可能であり、プレゼントされたチケットは第三者用のチケットフォルダー部１２に蓄積され、チケットをプレゼントされた第三者は、このチケットを利用してアクセス認証やサービスの提供を受けることができる。また、上記チケットは、オークションに出品するなどの譲渡も可能である。
【００２４】
図２に示すように、本実施形態に係る情報配信システムは、IP網２を通じて、ユーザー１が使用する通信端末装置からアクセス可能に構成されたシステムであり、単一又は複数のサーバ装置等により構成することができる。
【００２５】
IP網２は、通信プロトコルTCP/IPを用いて種々の通信回線（電話回線やISDN回線、ADSL回線などの公衆回線、専用回線、無線通信網）を相互に接続して構築される分散型の通信ネットワークであり、このIP網には、10BASE-Tや100BASE-TX等によるイントラネット（企業内ネットワーク）や家庭内ネットワークなどのLANなども含まれる。
【００２６】
また、ユーザー１が使用する通信端末装置としては、ＣＰＵを備えた演算処理装置であり、パーソナルコンピュータ等の汎用コンピュータや、機能を特化させた専用装置により実現することができ、モバイルコンピュータやＰＤＡ（Personal Digital Assistance）、携帯電話機が含まれる。
【００２７】
そして、本実施形態に係る情報配信システムは、コンテンツを配信するシステムとして、認証システム３、コンテンツ配信システム４、コンテンツデータベース５を備えている
コンテンツ配信システム４は、ゲームや商品販売等のサービスを提供するサービス提供サーバであり、WWW（World Wide Web）等のドキュメントシステムにおいて、HTML（HyperText Markup Language）ファイルや画像ファイル、音楽ファイルなどの情報送信を行うサーバコンピュータ或いはその機能を持ったソフトウェアであり、HTML文書や画像などのコンテンツ情報を蓄積しておき、ユーザー１側のWebブラウザや専用ソフトウェアなどのクライアントソフトウェアの要求に応じて、IP網２を通じ、これらのコンテンツ情報を送信する。なお、このコンテンツ配信システム４は、複数のサービス提供サーバにより構成され、提供するサービスに応じてサービス提供サーバが選択され、接続される。
【００２８】
コンテンツデータベース５は、データを蓄積するデータベースサーバであり、コンテンツ配信システム４の要求に応じて、蓄積されたデータを読み出し、送出する。なお、本実施形態において、コンテンツとは、映像や音声（着信メロディー等の音源プログラムを含む。）、ゲーム等のデータである。
【００２９】
認証システム３は、アクセス者の正当性を検証するコンピュータ或いはその機能を持ったソフトウェアであり、例えば、ユーザー名とパスワードの組合わせをユーザー側から取得し、アクセス者にその権利があるか否かや、そのアクセス者が本人であるか否かなどを確認する。かかる認証処理でアクセス者を確認することにより、利用者を識別し、ユーザー毎に異なるサービスを提供することが可能となる。なお、認証データの機密性を確保するために、認証データの暗号化やデジタル証明書を用いてもよい。
【００３０】
なお、本実施形態において認証システム３は、コンテンツ配信に際し、販売管理データベース８ａのレコードを参照し、コンテンツ配信を要求するユーザーに対してチケットが発行されているか、又はチケットが既に使用されていないかを確認する。そして、認証されたチケットに応じて、接続すべきコンテンツ配信システム４を選択し、アクセスを許可する。
【００３１】
さらに、認証システム３は、コンテンツの配信を終了した後、販売管理データベース８ａのレコードを呼び出し、終了したコンテンツ配信に係るチケットを”使用済み”とする。このとき、コンテンツが定額制であるなど、一つのチケットが繰り返し使用される場合には、使用回数のカウント値を増加させる等の処理により、使用済みではあるが、再度使用可能である旨を登録する。
【００３２】
また、情報配信システムは、チケットの発行・管理に関するシステムとして、チケットを発行するとともにチケットの管理を行うチケット生成システム１３と、販売されたチケットをユーザーに表示するためのチケットフォルダー部１２と、販売管理システム８を備えている。
【００３３】
販売管理システム８は、チケット生成システム１３が発行したチケットを販売するシステムであり、販売されたチケットを、表１に示すような、販売履歴データベース８ａにレコードとして登録する。この販売履歴データベース８ａのレコードは、表１に示すように、発行されたチケットを特定するためのチケットＩＤと、そのチケットで利用可能なサービス（商品）を特定するための商品コードと、チケットを購入したユーザーを特定するためのユーザーＩＤの他、チケットがプレゼントされた相手である発行者や、販売か価格、ユーザーに付与されたポイント数などが含まれる。なお、前記商品コードにより、後述する商品マスターテーブル１３ａと関連付けられ、チケットＩＤからサービスの目的の属性である商品マスターテーブル１３ａのレコードが参照可能となっている。
【００３４】
【表１】
2006040051.tif 000003
【００３５】
また、販売履歴データベース８ａには、ユーザーがサービスを利用した履歴も管理されており、ユーザーのアクセス履歴や、利用回数、利用金額及び残高等が記録される。
【００３６】
チケット生成システム１３は、複数あるサービスの全ての組合せ毎に、仮想的なチケットを生成し、生成されたチケットを商品マスターテーブル１３ａのレコードとして蓄積するシステムである。この商品マスターテーブル１３ａは、発行されたチケットと、当該チケットによって利用可能なサービス及び当該サービスの目的の属性とを関連付けるテーブルデータである。
【００３７】
また、この商品マスターテーブル１３ａには、チケットフォルダー部１２においてチケットを表示するための画像情報等が関連付けられている。このチケット生成システム１３はチケットフォルダー部１２と接続され、チケットフォルダー部１２は、ユーザーが保持するチケットを表示する際に、画像情報を読み出して、画像としてチケットを表示する。
【００３８】
このチケット生成システム１３は、月毎、或いは新サービスや新コンテンツが追加される毎に、既存のサービス又はコンテンツと、新規のサービス又はコンテンツとの全ての組合せをレコードとして生成し、組合せ毎にチケットナンバーを付与することによって、仮想的なチケットを生成する。このレコードとしては、チケットナンバー、対象サービス名、対象コンテンツ、有効期間、課金種別（従量制又は定額制）、金額等をパラメータとして保持する。
【００３９】
なお、本実施形態において、発行されるチケットが、例えば無料サービスである場合には、チケット生成システム１３は、課金０円としてチケットを発行する。これにより、チケットフォルダー部１２に登録されたチケットを確認することにより、ユーザーが利用可能なコンテンツと、それに対する料金を一括して管理することができる。
【００４０】
チケットフォルダー部１２は、チケット生成システム１３によって発行されたチケットを、Web上に閲覧可能に一覧表示するWebサーバ等により構成される。すなわち、このチケットフォルダー部１２は、販売管理システム８によってユーザーが購入したチケットを、画像として表示するとともに、各チケットの情報として、チケットナンバー（チケット名称）、提供するサービス・商品、有効／無効、有効期限、利用日（実績）、価格を表示する。
【００４１】
また、本実施形態に係る情報配信システムは、ユーザーに対して代金を請求するシステムとして、課金アプリケーション１０と、決済システム１１とを備えている。
【００４２】
課金アプリケーションは、使用済みとなったチケットを集計し、課金を行うアプリケーションである。また、決済システム１１は、チケットフォルダー部１２に蓄積された配信履歴データを照合し、使用されたチケットを抽出し、使用されたチケットに応じて決済を行い、代金の支払いを請求するシステムである。
【００４３】
本実施形態において、情報配信システムは、他に付随するシステムとして、営業実績管理部１４と、サポートセンター９とを備えている。
【００４４】
営業実績管理部１４は、販売履歴データベース８ａを参照し、チケットの販売状況やコンテンツの配信状況から人気のあるコンテンツやサービスを評価するシステムであり、その評価結果を実績情報データベース１４ａに蓄積する。コンテンツ製作者や販売地域について、営業実績を解析し、人気のあるコンテンツやサービスを提供している製作者や販売店にポイント等を付与し、製作活動や営業活動のインセンティブを生じせしめるために用いられる。
【００４５】
サポートセンター９は、ユーザーに対するカスタマサポートを実施する部署であり、販売履歴データベース８ａに接続されたサポート端末を備えている。このサポート端末は、販売履歴データベース８ａを照合し、ユーザー毎のチケットを抽出するとともに、利用可能又は利用不可能なサービス毎にソートして出力する機能を備えている。このようなサポート端末により、ユーザーが購入したチケットを抽出し、その使用状態、すなわち、既に使用済みなのか、未だ使用可能なのか、使用可能なチケットはいずれなのかを表示出力することによって、適切なユーザーサポートを実現することができる。
【００４６】
（商品マスターテーブル）
上述した商品マスターテーブル１３ａについて詳述する。この商品マスターテーブル１３ａは、表２に示すように、商品コードから、利用可能なサービス（対象コンテンツ）と、サービスの目的の属性であるチケット種別等が関連付けられている。
【００４７】
【表２】
2006040051.tif 000004
【００４８】
上記表２において、各チケット種別は以下の通りである。
【００４９】
（１）期間型
期間型は、有効期間内であれば何度でも使用できるタイプのチケットであり、ゲームの１日券、３０日券などである。この期間型のチケット購入時の有効期間設定方法としては、始期（From）-終期（To）を設定するFixedタイプと、有効期間長のみを設定し、Fromは別途設定するFreeタイプとがある。なお、FreeタイプにFromが設定されればFixedタイプと同様の扱いとなる。
【００５０】
（２）残高型
残高型は、残高の管理がされ、一定数量内の商品購入や一定回数内のサービス提供を受けることができるタイプのチケットであり、DVD購入券、１０曲ダウンロード券などである。この残高型の管理方法としては、1枚のチケットで残高を管理する複数回タイプと、有効なチケットの枚数で残高を管理する１回タイプとがある。
【００５１】
（３）回数券型
回数券型は、同種の機能のチケットを複数毎セットにして価格をディスカウントするタイプであり、発行方式としては、セット枚数分のチケット（期間型、残高型）を発行する枚数管理方式と、セット枚数分の数量をチケット（残高型）にセットする回数管理方式とがある。
【００５２】
（４）組合せ型
組合せ型は、組合せ商品に対するチケットであり、個々の商品に対して数量や有効期限が決定している分離型と、セット内の商品全体に対して数量が決定する非分離型とがある。分離型としては、例えば、商品Aを２個とBを1個購入できるチケットや、サービスAを1ヶ月、Bを2ヶ月利用できるチケットなどがあり、非分離型としては、例えば、商品AとBを適当に混ぜて、合計10個購入できるチケットなどがある。
【００５３】
なお、この組合せ型の発行方式としては、分離型であれば、個々の商品に対して通常の期間型、残高型のチケットを発行する個別管理型と、セット商品の商品コードに対して１枚のチケットを発行し、個々の商品毎の数量管理（構成する商品コード数分）を行い、購入時に数量の消し込みを行うセット管理型などがあり、非分離型であれば、セット商品の商品コードに対して１枚のチケットを発行し、セット構成商品全体に対する数量管理（１つ）を行い、個々の商品が購入された時点で、数量の消し込みを行う方式がある。
【００５４】
（情報配信システムの動作）
以上説明した情報配信システムは、以下のように動作する。図３〜図５は、本実施形態に係る情報配信システムの動作（チケット発行・コンテンツ配信時）を示すフローチャート図である。
【００５５】
（１）チケット発行及び販売
チケットの発行・販売時における動作を、図３に示す。新規コンテンツや新規サービスが導入され（Ｓ１０１）、新たなチケットを発行する際に、チケット生成システム１３により、サービス毎に、利用できるコンテンツの新旧全ての組合せを算出し、サービスの目的の属性と関連付けられたチケットを仮想的に発行する（Ｓ１０２）。発行されたチケットは、レコードとして商品マスターテーブル１３ａに蓄積される。
【００５６】
この発行されたチケットは、販売管理システム８において参照可能であり、ユーザーの申込み（ネット経由、電話申込み、街頭販売等）に応じて、販売され（Ｓ１０３）、販売されたチケットはユーザー毎にチケットフォルダー部１２に登録される（Ｓ１０４）。
【００５７】
（２）ログイン時の認証
次いで、コンテンツ配信時における認証動作を、図４及び図５に示す。先ず、図４に示すように、ユーザーが端末を用いてログインを開始する（Ｓ２０１）。このログインは、Web上のログインページ等によりＩＤやパスワード等を入力することにより行う。そして、ログインが開始され、端末からＩＤやパスワード、チケット種別、有効性判断基準等の認証用データが送信され、認証システム３において受信される（Ｓ２０２，Ｓ２０３）。
【００５８】
認証システム３では、受信したＩＤが存在するか否か、及びそのＩＤに対するパスワードが正当化否かについて判断し（Ｓ２０４）、次いで、ＩＤが休止又は停止されていないか否かについて確認を行う（Ｓ２０５）。これらステップＳ２０４又はＳ２０５において、ＩＤが存在しなかったり休止／停止されているか、或いはパスワードが正当でないとき（Ｓ２０４又はＳ２０５における”Ｎ”）は、ＮＧ処理（Ｓ２１４）を行う。
【００５９】
ステップＳ２０４及びＳ２０５においてＩＤ及びパスワードの認証が完了した後、チケット種別及び有効性判断基準に基づいて、有効チケット所有枚数を確認する（Ｓ２０６）。ステップＳ２０６において、有効なチケットが１枚のみと判断した場合には、新規にチケットを購入する意思があるか否かについて確認を行う（Ｓ２１０）。ステップＳ２１０においてチケット購入の意思がないときには、その１枚のチケットについての使用済み処理（Ｓ２１１）に移行する。
【００６０】
ステップＳ２０６において、ユーザーが有効なチケットを０枚又は２枚以上所有しているときには、所有している有効チケットの枚数が０枚か、或いは２枚以上かについて判断を行う（Ｓ２０７）。０枚のときは、チケットの購入を希望するか否かについて問い合わせを行い、チケットの購入処理を実行する（Ｓ２０９）。一方、ステップＳ２０６においてユーザーが複数枚のチケットを所有しているときには、どのチケットを使用するかについて選択を促し（Ｓ２０８）、選択されたチケットについて使用済み処理を実行する（Ｓ２１１）。また、前記ステップＳ２１０において、ユーザーがチケット購入意思があるときには（ステップＳ２１０における”Ｙ”）、チケット購入処理を実行し（Ｓ２０９）、購入されたチケットについて使用済み処理を行う（Ｓ２１１）。これらの使用済み処理の結果は、販売履歴データベース８ａの利用履歴に反映される。
【００６１】
上記チケットの使用済み処理（Ｓ２１１）が完了した後、或いはＮＧ処理が終了した後に、これらの処理の結果を、認証結果としてユーザー側端末へ送信する（Ｓ２１２及びＳ２１３）。この認証結果としては、認証の可否（ＯＫ／ＮＧ）と、ＮＧであるときのステータス（拒否理由）、利用されたチケットに関する情報、及びチケット処理結果が含まれる。
【００６２】
そして、この認証結果を受信したユーザー端末は、その結果を表示するとともに、ログイン処理を完了させる（Ｓ２１５及びＳ２１６）。
【００６３】
このログインが正当に完了した場合には、例えば、当該ユーザー固有のマイページなどが表示され、このマイページからユーザー固有のチケットフォルダーにアクセスが可能となるとともに、使用済み処理が行われたチケットの種別に応じたコンテンツにアクセスが可能となり、サービスの提供を受けることができる。なお、このマイページでは、チケットの残高や、ユーザーのステータス、キャンペーン情報やプロモーション情報、ユーザーのアクセス履歴から判断したお勧め情報等を表示してもよい。なお、ここで提供されるサービスとしては、例えば、ゲーム等の遊技や、商品の購入、映画や音楽等のコンテンツの視聴、イベントへの参加などがある。
【００６４】
ここで、上記ステップＳ２０６におけるチケットの有効性判断について詳述する。図５に示すように、ステップＳ２０４及びステップＳ２０５におけるＩＤ及びパスワードについての認証が終了した後、チケット種別及び有効性判断基準を取得し（Ｓ３０１）、チケット種別が期間型か残高型かを判断する（Ｓ３０２）。
【００６５】
期間型である場合、有効期間の設定が、Fixed（固定）かFree（自由）かを判断し（Ｓ３０３）、Fixedであれば、その有効期間が確認期間に含まれているか否かを判断し（Ｓ３０６）、含まれていれば有効チケットありと判断し、含まれていなければ有効チケット無しと判断する。なお、この確認期間は、サービスの目的の属性に応じて設定され、前記商品マスターテーブル１３ａに記録されており、ここでの認証の際に参照される。
【００６６】
一方、ステップＳ３０３において、期間設定がFreeであるときは、始期（From）の設定があるか否かについて判断し（Ｓ３０４）、あれば（ステップＳ３０４における”Ｙ”）その始期からの有効期間を算定して、ステップＳ３０６の処理を実行する。ステップＳ３０４においてFromの設定がなければ（ステップＳ３０４における”Ｎ”）、発行日をその始期として有効期間を算定し、ステップＳ３０６の処理を実行する。
【００６７】
上記ステップＳ３０２において残高型であると判断した場合には、その利用可能回数が１回限りのものなのか、或いは複数回利用が認められているものなのかについて判断し（Ｓ３０７）、１回限りのものであれば、チケットの枚数とユーザーが使用済みの枚数である確認数量とを比較し（Ｓ３０８）、枚数が確認数量以上（ステップＳ３０８における”Ｙ”）であれば有効チケットありと判断し、確認数量が枚数を超えていれば有効チケット無しと判断する（ステップＳ３０８における”Ｎ”）。一方、ステップＳ３０７においてチケットが複数回利用可能なものであるときには、残高とユーザーが使用済み額である確認数量とを比較し（Ｓ３０９）、残高が確認数量以上（ステップＳ３０９における”Ｙ”）であれば有効チケットありと判断し、確認数量が残高を超えていれば有効チケット無しと判断する（ステップＳ３０９における”Ｎ”）。ここでの確認数量は、販売履歴に蓄積されているユーザーのサービス利用履歴から参照される。
【００６８】
以上のように判断された有効チケットの有無、及びその残高や残り枚数の算出結果に基づいて、ステップＳ２０６の判断がなされ、後段のステップＳ２０７又はステップＳ２１０に移行する。
【００６９】
（３）コンテンツの利用
以上のようにして認証が完了すると、認証システムは使用済み処理の対象となったチケットに応じて、利用可能なサービスを提供しているコンテンツ配信システム４を選択し、選択されたコンテンツ提供サーバに対するユーザーのアクセスを許可する。これにより、ユーザーは、コンテンツ配信システム４からのサービスの提供を受けることができる。なお、サービスが終了する毎に認証処理が実行され、その都度、ユーザーは使用するチケットを選択し、選択されたチケットについてその使用済み処理が行われる。また、印象が完了することによって、ユーザーは各自のチケットフォルダー部１２にアクセスできるようになり、自己が所有するチケットの閲覧が可能となる。
【００７０】
（４）決済
本実施形態に係るシステムでは、上述のようにして販売され、使用されたチケットの目的の属性に基づいて課金処理時が行われる。先ず、例えば、月末の決算時等において、課金アプリケーションを起動させ、販売履歴データベース８ａの販売履歴及び利用履歴を照合し、ユーザー毎に、使用したチケットの精算を行う。このとき、販売されたチケットの枚数に応じた定額料金を課金する。このように算出された料金に従って、課金計算を行い、計算結果を決済システム１１に送出し、決済システム１１においてユーザーへの請求を行う。
【００７１】
（５）営業実績管理
なお、営業実績管理部１４において、販売管理データベース８ａの販売履歴やサービスの利用履歴を解析して、その解析結果を実績情報として実績情報データベース１４ａに蓄積することにより、この実績情報に基づいて、各種販売実績集計やユーザーの興味の持続時間を推算したり、無料サービス期間中の利用頻度と有料公開後の利用頻度等の相関分析、新商品の開発検討などを行うことが可能となる。
【００７２】
（情報配信システムによる効果）
このような本実施形態によれば、ユーザーが利用可能なコンテンツや、その利用可能時期等をサービスの目的の属性として仮想的なチケットに関連づけを行い、そのチケットを販売することにより、自由度の高い課金が可能となる。また、ユーザーが購入したチケットは、チケットフォルダー部１２において閲覧が可能であり、ユーザーは、チケットの使用・未使用又は使用回数を確認することができる。そして、販売されたチケットや、利用されたサービスの履歴データを照合することにより、複雑な料金設定であっても容易に決済を行うことができる。
【００７３】
また、本実施形態では、サービスが無料である場合には、サービスの目的の属性として、課金０のチケットを発行するため、料金は発生しないが、サービスの提供は受けられるという例外的な課金を、他の有料サービスと同様の処理により管理することが可能となる。
【図面の簡単な説明】
【００７４】
【図１】実施形態に係る課金システムの概要を示す説明図である。
【図２】実施形態に係る情報配信システムの構成を示す説明図である。
【図３】実施形態に係るチケット発行・販売時の処理を示すフローチャート図である。
【図４】実施形態に係る認証処理を示すフローチャート図である。
【図５】実施形態に係る認証処理におけるチケット有効性判断処理を示すフローチャート図である。
【図６】従来の課金システムの構成を示すブロック図である。
【符号の説明】
【００７５】
１…ユーザー
２…IP網
３…認証システム
４…コンテンツ配信システム
５…コンテンツデータベース
６…配信履歴データベース
７…顧客データベース
８…販売管理システム
８ａ…販売管理データベース
９…サポートセンター
１０…課金アプリケーション
１１…決済システム
１２…チケットフォルダー部
１３…チケット生成システム
１４…営業実績管理部
【図１】
2006040051.tif 000005
【図２】
2006040051.tif 000006
【図３】
2006040051.tif 000007
【図４】
2006040051.tif 000008
【図５】
2006040051.tif 000009
【図６】
2006040051.tif 000010